(57)【要約】【課題】仮にモータが発火した場合にも、その延焼を抑制することができる空気調和装置の室内ユニットを提供する。【解決手段】室内ユニットは、天板１２ａと、遠心ファン１４と、その遠心ファン１４を回転させるモータ１７と、カバー３０とを備えている。モータ１７は、筒状のモータ本体１７ａと、遠心ファン１４ファンに固定される回転軸１７ｂとを有している。カバー３０は、モータ本体１７ａを覆う難燃性のカバーである。カバー３０は、モータ本体１７ａの外周面の外側を少なくとも７０％以上覆う。カバー３０からモータ本体１７ａの外周面までの距離の平均値が、回転軸１７ｂが延びる方向視におけるモータ本体１７ａの外縁の回転軸１７ｂの中心からの距離の最大値よりも小さくなるように、カバー３０が形成されている。【選択図】図３
2019015456.tif 000002
【特許請求の範囲】
【請求項１】
ケーシング（１２，４２，７２）と、
前記ケーシング内に配置される、ファン（１４，４４，７４）と、
筒状のモータ本体（１７ａ，４７ａ，７７ａ）と、前記モータ本体から突出し前記ファンに固定される回転軸（１７ｂ，４７ｂ，７７ｂ）とを有し、前記ファンを回転させる、モータ（１７，４７，７７，１７０）と、
前記モータ本体の外周面の外側を少なくとも７０％以上覆う、難燃性のカバー（３０，６０，８０，９０，１３０，２３０）と、
を備え、
前記カバーから前記モータ本体の外周面までの距離（Ｇ１，Ｇ２，Ｇ３，・・・）の平均値が、前記回転軸が延びる方向視における前記モータ本体の外縁（１７ａｅ）の前記回転軸の中心（Ｏ）からの距離の最大値（Ｒ）よりも小さくなるように、前記カバーが形成されている、
空気調和装置の室内ユニット（１０，４０，７０）。
【請求項２】
前記モータ（１７，４７）は、前記モータ本体から突出する脚部（１７ｃ，４７ｃ）をさらに有し、
前記脚部は、前記ケーシングの一部あるいは前記ケーシングに取り付けられた部材であるモータ支持部（１２ａ，４２ａ）に固定され、
前記カバーは、前記脚部の前記モータ本体の側とは反対側をさらに覆う、
請求項１に記載の空気調和装置の室内ユニット。
【請求項３】
前記モータ（１７）は、前記モータ本体の第１部分（１７ｄ）から突出する電線（１７ｅ）をさらに有し、
前記カバー（３０，６０，１３０，２３０）には、前記電線を通すための開口あるいは切り欠き（３３ａ，６３ａ，１３３ａ，２３３ａ）が形成されている、
請求項１又は２に記載の空気調和装置の室内ユニット。
【請求項４】
前記回転軸が延びる方向視において、前記回転軸の中心（Ｏ）と前記第１部分の一端（１７ｄ１）とを結ぶ第１直線（Ｌ１）と、前記回転軸の中心と前記第１部分の他端（１７ｄ２）とを結ぶ第２直線（Ｌ２）とによって囲まれた領域（Ｓ）から、前記カバー（１３０）に形成される前記開口あるいは前記切り欠き（１３３ａ）が外れるように、前記モータ本体に対して前記カバー（１３０）が配置されている、
請求項３に記載の空気調和装置の室内ユニット。
【請求項５】
前記カバーと前記モータとの間に隙間（Ｇ１，Ｇ２，Ｇ３，・・・）が空くように、前記モータ本体に対して前記カバーが配置されている、
請求項１から４のいずれかに記載の空気調和装置の室内ユニット。
【請求項６】
前記モータは、前記ケーシングの一部あるいは前記ケーシングに取り付けられた部材であるモータ支持部（１２ａ）に固定される脚部（１７０ｃ）、をさらに有し、
前記カバー（２３０）には、前記脚部を通すための開口あるいは切り欠き（２３３ｂ）が形成されている、
請求項１に記載の空気調和装置の室内ユニット。
【請求項７】
前記カバー（２３０）は、前記モータ（１７０）に固定される、
請求項６に記載の空気調和装置の室内ユニット。
【請求項８】
前記カバーは、さらに、前記モータ本体の前記回転軸の延びる方向の端部（１７ｆ１，１７ｆ２，４７ｆ，７７ｆ，７７ｇ）を部分的に覆う、
請求項１から７のいずれかに記載の空気調和装置の室内ユニット。
【請求項９】
前記カバーは、第１部材（８０，１８０）および第２部材（９０，１９０）を含む２以上の部材に分割されており、
前記第１部材と前記第２部材とは、前記モータ本体を覆った状態において、部分的に重なる、
請求項１から８のいずれかに記載の空気調和装置の室内ユニット。
【請求項１０】
前記カバーと前記ファンとの間に隙間が空くように、前記モータ本体に対して前記カバーが配置されている、
請求項１から９のいずれかに記載の空気調和装置の室内ユニット。
【発明の詳細な説明】
【技術分野】
【０００１】
本発明は、空気調和装置の室内ユニットに関する。
【背景技術】
【０００２】
空気調和装置の室内ユニットは、吸い込んだ室内空気の温度や湿度を調整し、その調整後の空気をファンによって室内に吹き出す。天井に設置される室内ユニットの場合、ターボファンやシロッコファンが用いられることが多く、壁掛け式の室内ユニットでは、クロスフローファンが用いられることが多い。
【０００３】
例えば、特許文献１（特開平１１−４４４３３号公報）に示される天井埋込型の室内ユニットは、ターボファンを採用している。この室内ユニットでは、キャビネット（ケーシング）の天板にモータが取り付けられ、そのモータがターボファンを回転させる。キャビネットは、発火時の延焼防止等の目的から、鋼板から成るケースと断熱材とによって構成されている。そして、この室内ユニットでは、ターボファンもモータも、鋼板から成るケースによって覆われる構成となっている。
【発明の概要】
【発明が解決しようとする課題】
【０００４】
上記のように、室内ユニットにおいてファンやモータを鋼板で覆えば、室内で発火して室内ユニットの中まで延焼が拡がったときにも、室内ユニットの周囲への延焼を鋼板によって抑えることができる。
【０００５】
しかし、室内ユニットの設置が適切に行われなかったり、室内ユニットに供給される電源として不適切な電圧のものが誤って接続されたりした場合、僅かな可能性ではあるが、室内ユニットのモータが発火源となることが考えられる。したがって、仮にモータ内部で発火が生じた場合にも、その火がモータの周囲に拡がらないように対策を打つことが好ましい。また、もしも室内で火災が起こってしまった場合、その火災の原因が室内ユニットのモータにあったのか、それとも室内ユニットの外部に発火原因があったのか、原因究明できるようにすることが好ましい。
【０００６】
本発明の課題は、仮にモータが発火した場合にも、その延焼を抑制することができる空気調和装置の室内ユニットを提供することにある。
【課題を解決するための手段】
【０００７】
本発明の第１観点に係る空気調和装置の室内ユニットは、ケーシングと、ファンと、そのファンを回転させるモータと、カバーとを備えている。ファンは、ケーシング内に配置される。モータは、筒状のモータ本体と、そのモータ本体から突出しファンに固定される回転軸とを有している。カバーは、モータ本体を覆う難燃性のカバーである。カバーは、モータ本体の外周面の外側を少なくとも７０％以上覆う。そして、カバーからモータ本体の外周面までの距離の平均値が、モータの回転軸が延びる方向視におけるモータ本体の外縁の回転軸の中心からの距離の最大値よりも小さくなるように、カバーが形成されている。
【０００８】
ここでは、モータ本体の外周面の外側に配置されるカバーが、モータ本体の外周面の少なくとも７０％以上を覆っているため、仮にモータが発火した場合にも、その火がモータの周囲に延焼することが抑制される。
【０００９】
また、ここでは、モータの回転軸が延びる方向視におけるモータ本体の外縁の回転軸の中心からの距離の最大値よりも、カバーからモータ本体の外周面までの距離の平均値が小さくなっている。すなわち、カバーからモータ本体の外周面までの空間の容積が、小さくなっている。このため、仮にモータが発火した場合にも、カバーからモータ本体の外周面までの空間において鎮火しやすく、モータの周囲への延焼が抑えられる。
【００１０】
本発明の第２観点に係る空気調和装置の室内ユニットは、第１観点に係る室内ユニットであって、モータは、モータ本体から突出する脚部をさらに有している。脚部は、モータ支持部に固定される。モータ支持部は、ケーシングの一部あるいはケーシングに取り付けられた部材である。そして、カバーは、脚部のモータ本体の側とは反対側をさらに覆う。
【００１１】
ここでは、モータ本体の外周面の外側を少なくとも７０％以上覆うカバーが、さらに、モータ本体から突出する脚部も覆っている。これにより、脚部の周囲に、モータ本体の外周面とモータの外部とを結ぶ隙間が生じてしまうことが抑制される。このため、仮にモータが発火した場合にも、より確実に延焼を抑えることができる。
【００１２】
本発明の第３観点に係る空気調和装置の室内ユニットは、第１又は第２観点に係る室内ユニットであって、モータは、モータ本体の第１部分から突出する電線をさらに有している。カバーには、電線を通すための開口あるいは切り欠きが形成されている。
【００１３】
ここでは、電線がモータ本体から突出しているが、カバーに形成された開口あるいは切り欠きを通すことで、外部の電源などに電線を接続させることができる。
【００１４】
本発明の第４観点に係る空気調和装置の室内ユニットは、第３観点に係る室内ユニットであって、モータの回転軸が延びる方向視において、回転軸の中心とモータ本体の第１部分の一端とを結ぶ第１直線と、回転軸の中心とモータ本体の第１部分の他端とを結ぶ第２直線とによって囲まれた領域から、カバーに形成される開口あるいは切り欠きが外れるように、モータ本体に対してカバーが配置されている。
【００１５】
仮に、モータ本体の内部で異常発熱が生じ、モータ本体の中で発火した場合、電線が突出する部分であるモータ本体の第１部分から火が飛び出す可能性が高くなる。
【００１６】
このことに鑑み、ここでは、カバーに形成される開口あるいは切り欠きを、所定の領域から外して、仮にモータ本体の中で発火が生じた場合でもカバーの外側に火が飛び出ることを抑制している。
【００１７】
本発明の第５観点に係る空気調和装置の室内ユニットは、第１〜第４観点のいずれかに係る室内ユニットであって、カバーとモータとの間に隙間が空くように、モータ本体に対してカバーが配置されている。
【００１８】
ここでは、カバーとモータとを密着させず、それらの間に隙間が空くようにカバーを配置しているため、モータの放熱性が確保される。カバーとモータとを密着させる構造を採る場合には、モータ自身の耐熱性を上げる必要があり、モータの価格が高くなるが、ここではカバーとモータとの間に隙間を空けているため、モータの価格を下げることができる。
【００１９】
本発明の第６観点に係る空気調和装置の室内ユニットは、第１観点に係る室内ユニットであって、モータは、モータ支持部に固定される脚部をさらに有している。モータ支持部は、ケーシングの一部あるいはケーシングに取り付けられた部材である。そして、カバーには、モータの脚部を通すための開口あるいは切り欠きが形成されている。
【００２０】
ここでは、モータが脚部を有しているが、脚部が大きければ、脚部を含むモータをカバーで覆う構造を採用するとカバーが大きくなってしまう。そこで、脚部を通すための開口あるいは切り欠きをカバーに形成し、カバーの小型化を図っている。
【００２１】
本発明の第７観点に係る空気調和装置の室内ユニットは、第６観点に係る室内ユニットであって、カバーは、モータに固定される。
【００２２】
カバーに形成された開口あるいは切り欠きから脚部をカバーの外側に出す構造を採る場合、モータ本体にカバーを近接させることが可能になる。このことに鑑み、ここでは、カバーをモータに固定させ、カバーの外側に出ている脚部の一部をモータ支持部に固定することで、モータおよびカバーの両方をモータ支持部に支持させている。モータおよびカバーが一体化されることで、これらの間でモータ振動に伴う擦れ音が生じるといった不具合を抑えることができる。
【００２３】
本発明の第８観点に係る空気調和装置の室内ユニットは、第１〜第７観点のいずれかに係る室内ユニットであって、カバーは、さらに、モータ本体の回転軸の延びる方向の端部を部分的に覆う。
【００２４】
ここでは、カバーによって、モータ本体の外周面の外側が少なくとも７０％以上覆われるとともに、モータ本体の回転軸の延びる方向の端部が部分的に覆われる。これにより、仮にモータが発火した場合にも、その火がモータの周囲に延焼することが更に抑制される。
【００２５】
本発明の第９観点に係る空気調和装置の室内ユニットは、第１〜第８観点のいずれかに係る室内ユニットであって、カバーは、第１部材および第２部材を含む２以上の部材に分割されている。そして、第１部材と第２部材とは、モータ本体を覆った状態において、部分的に重なる。
【００２６】
ここでは、分割構造のカバーを採用することで、室内ユニットの組み立て作業において、カバーでモータ本体を覆う工程に必要な時間が短くなる。また、モータ本体を覆った状態において第１部材と第２部材とが部分的に重なるため、仮にモータが発火した場合にも、その火がカバーの外側に出ることが抑えられる。
【００２７】
本発明の第１０観点に係る空気調和装置の室内ユニットは、第１〜第９観点のいずれかに係る室内ユニットであって、カバーとファンとの間に隙間が空くように、モータ本体に対してカバーが配置されている。
【００２８】
ここでは、回転するファンと、回転しないカバーとの間に隙間を確保することで、両者が接触して騒音が発生するといった不具合が抑えられる。
【発明の効果】
【００２９】
本発明の第１観点に係る空気調和装置の室内ユニットでは、モータ本体の外周面の外側に配置されるカバーが、モータ本体の外周面の少なくとも７０％以上を覆っているため、仮にモータが発火した場合にも、その火がモータの周囲に延焼することが抑制される。また、モータの回転軸が延びる方向視におけるモータ本体の外縁の回転軸の中心からの距離の最大値よりも、カバーからモータ本体の外周面までの距離の平均値が小さくなっており、仮にモータが発火した場合にも、カバーからモータ本体の外周面までの空間において鎮火しやすい。
【００３０】
本発明の第２観点に係る空気調和装置の室内ユニットでは、脚部の周囲に、モータ本体の外周面とモータの外部とを結ぶ隙間が生じてしまうことが抑制され、仮にモータが発火した場合にも、より確実に延焼を抑えることができる。
【００３１】
本発明の第３観点に係る空気調和装置の室内ユニットでは、外部の電源などに電線を接続させることができる。
【００３２】
本発明の第４観点に係る空気調和装置の室内ユニットでは、仮にモータ本体の中で発火が生じた場合でも、カバーの外側に火が飛び出ることを抑制できる。
【００３３】
本発明の第５観点に係る空気調和装置の室内ユニットでは、モータの価格を下げることができる。
【００３４】
本発明の第６観点に係る空気調和装置の室内ユニットでは、カバーの小型化を図ることができる。
【００３５】
本発明の第７観点に係る空気調和装置の室内ユニットでは、モータとカバーとの間でモータ振動に伴う擦れ音が生じるといった不具合を抑えることができる。
【００３６】
本発明の第８観点に係る空気調和装置の室内ユニットでは、仮にモータが発火した場合にも、その火がモータの周囲に延焼することが更に抑制される。
【００３７】
本発明の第９観点に係る空気調和装置の室内ユニットでは、分割構造のカバーを採用することで、室内ユニットの組み立て作業において、カバーでモータ本体を覆う工程に必要な時間が短くなる。
【００３８】
本発明の第１０観点に係る空気調和装置の室内ユニットでは、回転するファンと、回転しないカバーとの間に隙間を確保することで、両者が接触して騒音が発生するといった不具合が抑えられる。
【図面の簡単な説明】
【００３９】
【図１】従来および本発明の第１実施形態に係る室内ユニットの外観斜視図。
【図２】従来の室内ユニットの縦断面図。
【図３】第１実施形態に係る室内ユニットの遠心ファン、モータおよびカバーの分解斜視図。
【図４Ａ】第１実施形態に係る室内ユニットの遠心ファン、モータおよびカバーの縦断面図。
【図４Ｂ】第１実施形態に係る室内ユニットのモータおよびカバーの隙間寸法の説明図。
【図５】第１実施形態に係る室内ユニットのカバーの平面図。
【図６】第１実施形態の変形例１Ａに係る室内ユニットのカバーの平面図。
【図７】第１実施形態の変形例１Ｂに係る室内ユニットのカバーの外観斜視図。
【図８】第１実施形態の変形例１Ｂに係る室内ユニットの遠心ファン、モータおよびカバーの縦断面図。
【図９】本発明の第２実施形態に係る室内ユニットの外観斜視図。
【図１０】第２実施形態に係る室内ユニットの多翼ファン、モータおよびカバーの分解斜視図。
【図１１】第２実施形態に係る室内ユニットの多翼ファン、モータおよびカバーの縦断面図。
【図１２】本発明の第３実施形態に係る室内ユニットの外観斜視図。
【図１３】第３実施形態に係る室内ユニットの縦断面図。
【図１４】第３実施形態に係る室内ユニットのモータ、カバーおよび周辺部品の分解斜視図。
【図１５】第３実施形態に係る室内ユニットのモータ周りの縦断面図。
【図１６】図１５の一部拡大図。
【図１７】第３実施形態の変形例に係る室内ユニットのモータ、カバーおよび周辺部品の分解斜視図。
【図１８】第３実施形態の変形例に係る室内ユニットのモータ周りの縦断面図。
【発明を実施するための形態】
【００４０】
＜従来の形態＞
図１に、従来の空気調和装置の室内ユニット１０の外観斜視図を示す。室内ユニット１０は、ここでは、天井設置型のユニットであり、主として、内部に各種構成機器を収納するケーシング１２と、ケーシング１２の下側に配置された化粧パネル１３と、を有している。
【００４１】
金属製のケーシング１２は、下面が開口した箱状の部材であり、図２（室内ユニット１０の概略側面断面図）に示すように、空調対象の室（部屋）の天井に形成された開口に挿入されて配置される。そして、化粧パネル１３は、室内の空気をケーシング１２に吸入するために略中央に配置された吸入口１３ａと、ケーシング１２から室内に空気を吹き出すために吸入口１３ａの外周を囲むように配置された吹出口１３ｂと、を有しており、天井の開口に嵌め込まれる。
【００４２】
ケーシング１２内には、主として、化粧パネル１３の吸入口１３ａを通じて室内の空気をケーシング１２内に吸入して外周方向に吹き出す遠心ファン１４と、遠心ファン１４の外周を囲む熱交換器１５と、吸入口１３ａから吸入される空気を遠心ファン１４に案内するためのベルマウス１６と、が配置されている。遠心ファン１４は、ケーシング１２の天板１２ａの略中央に固定されたモータ１７の回転軸１７ｂに連結され、モータ１７によって回転駆動される。
【００４３】
遠心ファン１４は、樹脂製であり、主として、モータ１７に連結される円板状の主板２１と、主板２１の回転軸線Ｏ周りに主板２１の反ファンモータ１７側に環状に配置された複数のブレード２２と、複数のブレード２２を主板２１との回転軸線Ｏ方向間に挟むように配置された環状のシュラウド２３と、を有している。主板２１は、その中央部に、略円錐台形状のハブ部２１ａが吸入口１３ａ側に向かって突出するように形成された部材であり、その外周部において、複数のブレード２２のファンモータ１７側の端部を結んでいる。シュラウド２３は、その外周部から中央部の開口に向かうにつれて吸入口１３ａ側に湾曲しながら突出するベル形状の部材であり、複数のブレード２２の反ファンモータ１７側の端部を結んでいる。ブレード２２は、遠心ファン１４の回転方向に対して後傾したターボ翼形状の部材である。
【００４４】
＜本発明を実施するための第１実施形態＞
（１）空気調和装置の室内ユニットの基本構成
本発明の一実施形態に係る空気調和装置の室内ユニットは、上記の従来の空気調和装置の室内ユニット１０に、モータ１７を覆うカバーを更に装着したユニットである。
【００４５】
（２）モータおよびモータを覆うカバーの詳細構成
（２−１）モータ
モータ１７は、コイルを樹脂モールドしている円筒状のモータ本体１７ａと、モータ本体１７ａから突出する回転軸１７ｂと、モータ本体１７ａの外周面から径方向外方に突出する３つの脚部１７ｃとを有している。
【００４６】
図４Ａに示すように、回転軸１７ｂの先端には、遠心ファン１４の主板２１のハブ部２１ａが固定される。モータ本体１７ａは、その大半がハブ部２１ａに囲まれる空間に配置される。
【００４７】
モータ本体１７ａの、回転軸１７ｂが突出する側と反対側の部分には、基板が内蔵される。モータ本体１７ａの外周面から径方向外方に突出するコネクタ部１７ｄからは、内蔵の基板に接続されている電線１７ｅが外に延びている。
【００４８】
３つの脚部１７ｃは、図４Ａに示すように、防振ゴム１８を保持する形状であり、それぞれが防振ゴム１８を保持した状態でケーシング１２の天板１２ａ（図２参照）に締結される。具体的には、防振ゴム１８および天板１２ａを貫通するボルト１９によって、モータ１７が天板１２ａに固定される。
【００４９】
（２−２）カバー
カバー３０は、モータ本体１７ａを覆う難燃性のカバーである。ここでは、カバーの材質をオーステナイト系のステンレスとしているが、難燃性の樹脂カバーあるいはアルミ製のカバーを採用することも可能である。
【００５０】
カバー３０は、図３等からも明らかなように、モータ本体１７ａの外周面の外側を少なくとも７０％以上覆っている。ここでは、モータ本体１７ａの外周面の外側を９０％以上覆うカバーを採用している。具体的には、モータ本体１７ａの外周面から突出する３つの脚部１７ｃの外側（脚部１７ｃのモータ本体１７ａの側とは反対側）も、カバー３０で覆っている（図４Ａ参照）。これにより、後述する電線１７ｅを通過させるための切り欠き３３ａの部分を除き、モータ本体１７ａの外周面の外側を殆ど覆った状態を実現させている。
【００５１】
また、カバー３０は、さらに、モータ本体１７ａの回転軸１７ｂの突出する側の端部も、部分的に覆っている。回転軸１７ｂの突出する部分には、図３および図４Ａに示すように、環状の段差面１７ｆ１，１７ｆ２，１７ｆ３が存在しているが、そのうち段差面１７ｆ１，１７ｆ２が、カバー３０の環状平面部３１によって覆われている。
【００５２】
カバー３０は、回転軸１７ｂを通す穴が中央に開いている環状平面部３１と、環状平面部３１の周縁から延びる環状傾斜面部３２と、環状傾斜面部３２の端から回転軸１７ｂに平行に延びる筒部３３と、筒部３３から径方向外方に突出する複数の固定用タブ３４とを有している。環状傾斜面部３２の傾斜の角度は、図４Ａに示すように、遠心ファン１４のハブ部２１ａの傾斜の角度と等しい。環状傾斜面部３２および筒部３３は、モータ本体１７ａの外周面の外側を覆う。また、筒部３３は、３つの脚部１７ｃの外側も覆う。カバー３０の複数の固定用タブ３４は、図示しない防振シートを介して、ボルトによってケーシング１２の天板１２ａに固定される。
【００５３】
図４Ａに示すように、モータ１７およびカバー３０がケーシング１２の天板１２ａに固定された状態において、モータ１７のモータ本体１７ａの外周面とカバー３０との間には隙間が確保され、カバー３０と遠心ファン１４の主板２１との間にも隙間が確保される。
【００５４】
モータ本体１７ａの外周面とカバー３０との間の隙間が、なるべく小さくなるように、カバー３０の形状が決められている。図４Ｂに示すように、カバー３０からモータ本体１７ａの外周面までの距離は、カバー３０の各部においてバラバラの寸法（例えば、図４Ｂに示す距離Ｇ１，Ｇ２，Ｇ３，・・・Ｇ１０）である。ここでは、これらのカバー３０各部におけるモータ本体１７ａの外周面までの距離（Ｇ１，Ｇ２，Ｇ３，・・・Ｇ１０）の平均値が、モータ１７の回転軸１７ｂが延びる方向視におけるモータ本体１７ａの外縁１７ａｅ（図４Ｂおよび図５参照）の回転軸１７ｂの中心Ｏからの距離の最大値Ｒよりも小さくなるように、カバー３０の形状が決められている。なお、本実施形態では、モータ本体１７ａの形状が円筒状であるため、モータ本体１７ａの外縁１７ａｅの回転軸１７ｂの中心Ｏからの距離の最大値Ｒは、モータ本体１７ａの半径に一致する。もし、多角形の筒状モータ本体を採用する場合には、モータ本体の外縁の回転軸の中心からの距離の最大値は、回転軸から筒状モータ本体の外縁の頂部までの距離になる。
【００５５】
上述のように、カバー３０には、モータ１７の電線１７ｅを通すための切り欠き３３ａが形成されている。具体的には、カバー３０の筒部３３のうち、モータ１７のコネクタ部１７ｄと対向する部分の中心から少しずれた位置に、図３および図５に示すように切り欠き３３ａが形成されている。モータ１７の電線１７ｅは、少し曲げられて切り欠き３３ａに嵌められ、その状態でカバー３０がケーシング１２の天板１２ａに固定される。
【００５６】
（３）特徴
（３−１）
第１実施形態に係る空気調和装置の室内ユニット１０では、モータ本体１７ａの外周面の外側に配置されるカバー３０が、モータ本体１７ａの外周面の少なくとも７０％以上を覆っているため、仮にモータ１７が内部で発火した場合にも、その火がモータ１７の周囲に延焼することが抑制される。
【００５７】
また、モータ１７の回転軸１７ｂが延びる方向視におけるモータ本体１７ａの外縁１７ａｅの回転軸１７ｂの中心０からの距離の最大値Ｒよりも、カバー３０からモータ本体１７ａの外周面までの距離（Ｇ１，Ｇ２，Ｇ３，・・・Ｇ１０）の平均値が小さくなっている。すなわち、カバー３０からモータ本体１７ａの外周面までの空間の容積が、小さくなっている。このため、仮にモータ１７が発火した場合にも、カバー３０からモータ本体１７ａの外周面までの空間において鎮火しやすく、モータ１７の周囲への延焼が抑えられる。
【００５８】
さらに、もしも室内で火災が起こってしまった場合、その火災の原因が室内ユニット１０のモータ１７にあったのか、それとも室内ユニット１０の外部に発火原因があったのか、原因究明し易くなる。
【００５９】
（３−２）
第１実施形態に係る空気調和装置の室内ユニット１０では、モータ本体１７ａの外周面の外側を少なくとも７０％以上覆うカバー３０が、さらに、モータ本体１７ａから突出する複数の脚部１７ｃも覆っている。これにより、脚部１７ｃの周囲に、モータ本体１７ａの外周面とモータ１７の外部とを結ぶ隙間が生じてしまうことが抑制される。このため、仮にモータ１７が発火した場合にも、より確実に延焼を抑えることができる。
【００６０】
（３−３）
第１実施形態に係る空気調和装置の室内ユニット１０では、電線１７ｅがモータ本体１７ａから突出しているが、カバー３０に形成された切り欠き３３ａを通すことで、外部の電源などに電線１７ｅを接続させることができる。
【００６１】
（３−４）
第１実施形態に係る空気調和装置の室内ユニット１０では、カバー３０とモータ１７とを密着させず、それらの間に隙間が空くようにカバー３０を配置しているため、モータ１７の放熱性が確保される。カバー３０とモータ１７とを密着させる構造を採る場合には、モータ自身の耐熱性を上げる必要があり、モータの価格が高くなるが、ここではカバー３０とモータ１７との間に隙間を空けているため、モータ１７の価格を下げることができている。
【００６２】
（３−５）
第１実施形態に係る空気調和装置の室内ユニット１０では、カバー３０によって、モータ本体１７ａの外周面の外側が少なくとも７０％以上覆われるとともに、モータ本体１７ａの回転軸１７ｂの延びる方向の端部が、カバー３０の環状平面部３１によって部分的に覆われている。これにより、仮にモータ１７が発火した場合にも、その火がモータ１７の周囲に延焼することが更に抑制される。
【００６３】
（４）変形例
（４−１）変形例１Ａ
上記の第１実施形態では、図５に示すように、切り欠き３３ａを、カバー３０の筒部３３のうち、モータ１７のコネクタ部１７ｄと対向する部分の中心から少しずれた位置に形成している。これにより、仮にモータ１７内部で発火してコネクタ部１７ｄから火が噴き出した場合でも、切り欠き３３ａから火が外に出ることを抑えている。
【００６４】
しかし、更に確実にカバーの外への火の噴き出しを抑制したい場合には、図６に示すカバー１３０を採用することもできる。
【００６５】
図６に示す、変形例１Ａに係るカバー１３０は、上記の第１実施形態のカバー３０に代えて用いるものであり、カバー１３０とはモータ１７の電線１７ｅを通す切り欠きの位置が異なる。
【００６６】
カバー１３０の切り欠き１３３ａは、カバー１３０の筒部１３３（筒部３３に相当）のうち、モータ１７のコネクタ部１７ｄと対向する部分から完全に外れた位置に形成される。具体的には、モータ１７の回転軸１７ｂが延びる方向視（図６の視点）において、回転軸１７ｂの中心Ｏとモータ本体１７ａのコネクタ部１７ｄの一端１７ｄ１とを結ぶ第１直線Ｌ１と、回転軸１７ｂの中心Ｏとモータ本体１７ａのコネクタ部１７ｄの他端１７ｄ２とを結ぶ第２直線Ｌ２とによって囲まれた領域Ｓから、カバー１３０に形成される切り欠き１３３ａが外れるように、モータ本体１７ａに対してカバー１３０が配置されている。
【００６７】
このようにカバー１３０を構成、配置すれば、仮にモータ本体１７ａの内部でコイルが異常発熱してモータ１７の中で発火し、コネクタ部１７ｄから火が飛び出した場合にも、カバー１３０の外側に火が飛び出ることが殆どなくなる。
【００６８】
（４−２）変形例１Ｂ
上記の第１実施形態では、モータ本体１７ａの外周面の外側を少なくとも７０％以上覆うカバー３０が、さらに、モータ本体１７ａから突出する複数の脚部１７ｃも覆っている。これに代えて、図７および図８に示すような、モータ１７０の脚部１７０ｃをカバー２３０の外に出す室内ユニットを採用することもできる。
【００６９】
図７に示すように、カバー２３０は、モータ１７０の回転軸１７０ｂを通す穴が中央に開いている環状平面部２３１と、環状平面部２３１の周縁から延びる環状傾斜面部２３２と、環状傾斜面部２３２の端から回転軸１７０ｂに平行に延びる筒部２３３と、筒部２３３から径方向外方に突出する複数の固定用タブ２３４とを有している。環状傾斜面部２３２および筒部２３３は、モータ本体１７０ａの外周面の外側を覆う。筒部２３３には、３つの脚部１７０ｃとの干渉を避けるための切り欠き２３３ｂが形成されている。また、筒部２３３には、モータ１７０の電線を通すための別の切り欠き２３３ａも形成されている。
【００７０】
また、カバー２３０とは別に、モータ１７０の回転軸１７０ｂが突出する側とは反対側の端面に対向する蓋２３９が用意されており、蓋２３９がカバー２３０とともにモータ１７０を覆う。蓋２３９は、円板２３９ａと、円板２３９ａから段差部を介して径方向外方に突出する３つのタブ２３９ｂとを有している。カバー２３０をモータ１７０に回転軸１７０ｂ側から装着し、反対側から蓋２３９を被せ、カバー２３０の固定用タブ２３４と蓋２３９のタブ２３９ｂとを締結することで、カバー２３０および蓋２３９がモータ１７０と一体化される。なお、蓋２３９とモータ１７０との間には、円板状の弾性部材（スポンジやゴムなど）を挟み、一体化の度合いを向上させることが好ましい。
【００７１】
カバー２３０および蓋２３９と一体化されたモータ１７０は、図８に示すように、防振ゴム１８を介して室内ユニットのケーシングに固定される。この状態において、モータ１７０の脚部１７０ｃは、カバー２３０の筒部２３３の切り欠き２３３ｂから径方向外方に飛び出している。しかし、切り欠き２３３ａ，２３３ｂの部分を除き、カバー２３０は概ねモータ１７０を覆っている。
【００７２】
以上のようなカバー２３０を採用すれば、カバー２３０の小型化を図ることができる。また、図８に示すように、モータ１７０とカバー２３０との間の隙間が小さくなり、仮にモータ１７０が発火した場合にも、カバー２３０からモータ１７０までの空間において鎮火しやすくなる。
【００７３】
また、ここでは蓋２３９を用いてカバー２３０をモータ１７０に固定（一体化）させ、カバー２３０の外側に出ている脚部１７０ｃの一部を室内ユニットのケーシングに固定することで、モータ１７０およびカバー２３０の両方をケーシングに支持させている。モータ１７０およびカバー２３０が一体化されることで、これらの間でモータ振動に伴う擦れ音が生じるといった不具合を抑えることができる。
【００７４】
なお、図８において二点鎖線で示す遠心ファン１４の主板２１は、室内ユニットの搬送時や落下時に衝撃が加わった場合にも、主板２１がカバー２３０には接触せず室内ユニットのケーシングの天板１２ａに当たることを示している。
【００７５】
（４−３）変形例１Ｃ
上記の第１実施形態では、カバー３０に、モータ１７の電線１７ｅを通すための切り欠き３３ａを形成しているが、切り欠き３３ａの代わりに穴（開口）をカバー３０に形成してもよい。
【００７６】
＜本発明を実施するための第２実施形態＞
（１）空気調和装置の室内ユニットの基本構成
図９に、本発明の第２実施形態に係る床置き型の室内ユニット４０の外観を示す。この空気調和装置の室内ユニット４０は、部屋の床に置かれ、下部の左右両側に配置された吸込口４８ａ，４８ｂから室内の空気を吸い込み、空気調和後の空気を、上部に配置された吹出口４６ａ，４６ｂから室内へと吹き出す。室内ユニット４０のケーシング４２の背面（図示せず）には、図１０に示すモータ取付板４２ａが固定されている。
【００７７】
室内ユニット４０のケーシング４２の中には、熱交換器などとともに、図１０に示す多翼ファン４４、その多翼ファン４４を回すモータ４７、そのモータ４７を覆うカバー６０などが配置されている。
【００７８】
（２）モータおよびモータを覆うカバーの詳細構成
（２−１）モータ
モータ４７は、コイルを樹脂モールドしている円筒状のモータ本体４７ａと、モータ本体４７ａから突出する回転軸４７ｂと、モータ本体４７ａの外周面から径方向外方に突出する脚部４７ｃとを有している。
【００７９】
図１１に示すように、回転軸４７ｂの先端には、多翼ファン４４が固定される。モータ本体４７ａの、回転軸４７ｂが突出する側と反対側の部分には、コネクタ部４７ｄが形成されている。脚部４７ｃは、図１１に示すように、モータ保持枠４９に固定される。モータ保持枠４９は、上述のモータ取付板４２ａにボルトで締結される。
【００８０】
（２−２）カバー
難燃性のカバー６０は、モータ本体４７ａの外周面の外側を少なくとも７０％以上覆う部材である。モータ本体４７ａの外周面から突出する脚部４７ｃの外側も、モータ保持枠４９の外側も、カバー６０で覆われている（図１１参照）。これにより、モータ４７の電線を通過させるための切り欠き６３ａの部分を除き、モータ本体４７ａの外周面の外側を殆ど覆った状態を実現させている。
【００８１】
また、カバー６０は、さらに、モータ本体４７ａの回転軸４７ｂの突出する側の端部も、部分的に覆っている。回転軸４７ｂの突出する部分には、図１０および図１１に示すように、環状面４７ｆが存在しているが、カバー６０の環状平面部６１によって覆われている。
【００８２】
カバー６０は、回転軸４７ｂを通す穴が中央に開いている環状平面部６１と、環状平面部６１の周縁から延びる環状傾斜面部６２と、環状傾斜面部６２の端から回転軸４７ｂに平行に延びる筒部６３と、筒部６３から径方向外方に延びるフランジ６４とを有している。環状傾斜面部６２および筒部６３は、モータ本体４７ａの外周面の外側を覆う。カバー６０のフランジ６４は、図示しない防振シートを介して、ボルトによってケーシング４２に設けられたモータ取付板４２ａに固定される。
【００８３】
図１１に示すように、モータ４７およびカバー６０がモータ取付板４２ａに固定された状態において、モータ４７のモータ本体４７ａの外周面とカバー６０との間には隙間が確保され、カバー６０と多翼ファン４４との間にも隙間が確保される。
【００８４】
モータ本体４７ａの外周面とカバー６０との間の隙間が、なるべく小さくなるように、カバー６０の形状が決められている。図１１に示すように、カバー６０からモータ本体６７ａの外周面までの距離は、カバー６０の各部においてバラバラの寸法である。ここでは、これらのカバー６０各部におけるモータ本体４７ａの外周面までの距離の平均値が、モータ４７の回転軸４７ｂが延びる方向視におけるモータ本体４７ａの外縁の回転軸４７ｂの中心からの距離の最大値Ｒよりも小さくなるように、カバー６０の形状が決められている。
【００８５】
（３）特徴
（３−１）
第２実施形態に係る空気調和装置の室内ユニット４０では、モータ本体４７ａの外周面の外側に配置されるカバー６０が、モータ本体４７ａの外周面の少なくとも７０％以上を覆っているため、仮にモータ４７が内部で発火した場合にも、その火がモータ４７の周囲に延焼することが抑制される。
【００８６】
また、モータ４７の回転軸４７ｂが延びる方向視におけるモータ本体４７ａの外縁の回転軸４７ｂの中心からの距離の最大値Ｒよりも、カバー６０からモータ本体４７ａの外周面までの距離の平均値が小さくなっている。すなわち、カバー６０からモータ本体４７ａの外周面までの空間の容積が、小さくなっている。このため、仮にモータ４７が発火した場合にも、カバー６０からモータ本体４７ａの外周面までの空間において鎮火しやすく、モータ４７の周囲への延焼が抑えられる。
【００８７】
（３−２）
第２実施形態に係る空気調和装置の室内ユニット４０では、モータ本体４７ａの外周面の外側を少なくとも７０％以上覆うカバー６０が、さらに、モータ本体４７ａから突出する脚部４７ｃも覆っている。これにより、脚部４７ｃの周囲に、モータ本体４７ａの外周面とモータ４７の外部とを結ぶ隙間が生じてしまうことが抑制される。このため、仮にモータ４７が発火した場合にも、より確実に延焼を抑えることができる。
【００８８】
（３−３）
第２実施形態に係る空気調和装置の室内ユニット４０では、カバー６０とモータ４７とを密着させず、それらの間に隙間が空くようにカバー６０を配置しているため、モータ４７の放熱性が確保される。
【００８９】
（３−４）
第２実施形態に係る空気調和装置の室内ユニット４０では、カバー６０によって、モータ本体４７ａの外周面の外側が少なくとも７０％以上覆われるとともに、モータ本体４７ａの回転軸４７ｂの延びる方向の端部が、カバー６０の環状平面部６１によって部分的に覆われている。これにより、仮にモータ４７が発火した場合にも、その火がモータ４７の周囲に延焼することが更に抑制される。
【００９０】
＜本発明を実施するための第３実施形態＞
（１）空気調和装置の室内ユニットの基本構成
図１２に、本発明の第３実施形態に係る壁掛け型の室内ユニット７０の外観を示す。この空気調和装置の室内ユニット７０は、図１３に示すように、ケーシング７２、熱交換器７３、クロスフローファン７４、などを備えている。
【００９１】
ケーシング７２は、正面パネルや側板のほか、底フレーム７２ａを有しており、この底フレーム７２ａに熱交換器７３およびクロスフローファン７４が取り付けられる。
【００９２】
熱交換器７３は、通過する空気との間で熱交換を行う。逆Ｖ字状の形状を成す熱交換器７３の下方に、クロスフローファン７４が位置している。クロスフローファン７４は、室内から取り込んだ空気を、熱交換器７３に当てて通過させ、下から室内に吹き出させる。
【００９３】
熱交換器７３の前後それぞれの下方には、熱交換器７３から落ちる結露水を受けるためのドレンパン７５，７６が配置されている。
【００９４】
（２）モータおよびモータを覆うカバーの詳細構成
（２−１）モータ
モータ７７は、コイルを樹脂モールドしている円筒状のモータ本体７７ａと、モータ本体７７ａから突出する回転軸７７ｂとを有している。回転軸７７ｂの先端には、クロスフローファン７４の端部が固定される。
【００９５】
（２−２）カバー
ステンレス製のカバーは、図１４に示すように、第１カバー８０および第２カバー９０に分割されている。これらのカバー８０，９０が、モータ７７の回転軸７７ｂの方向に前後からモータ７７に被せられる。図１５に示す設置状態において、一対のカバー８０，９０は、モータ本体７７ａの外周面の外側を少なくとも７０％以上覆う。ここでは、モータ本体７７ａの外周面の外側を殆ど覆った状態を実現させている。
【００９６】
また、一対のカバー８０，９０は、さらに、モータ本体７７ａの回転軸７７ｂの突出する側の端部７７ｆも、その反対側の端部７７ｇも、部分的に覆っている。
【００９７】
第１カバー８０は、回転軸７７ｂを通す穴が中央に開いている環状平面部８１と、環状平面部８１の周縁から延びる筒部８３とを有している。環状平面部８１は、モータ本体７７ａの回転軸７７ｂの突出する側の端部７７ｆを覆う。
【００９８】
第２カバー９０は、環状平面部９１と、環状平面部９１の周縁から延びる筒部９３とを有している。環状平面部９１は、モータ本体７７ａの端部７７ｇを覆う。
【００９９】
第１カバー８０の筒部８３と、第２カバー９０の筒部９３とは、図１６に示すように、モータ本体７７ａの外周面の外側において互いに一部が重なっている。筒部８３と筒部９３との間の径方向の隙間寸法Ｄ１は、１ｍｍ以下である。また、後述する前後ドレンパン接続部材７９のアーチ部分と第１カバー８０の筒部８３との隙間寸法Ｄ２も、モータ本体７７ａと第２カバー９０の筒部９３との隙間寸法Ｄ３も、１ｍｍ以下である。
【０１００】
図１５に示すように、両カバー８０，９０が被せられた状態のモータ７７は、樹脂製のモータ支持部材７８ａ，７８ｂ，７８ｃに載せられる。これらのモータ支持部材７８ａ，７８ｂ，７８ｃは、上述のケーシング７２の底フレーム７２ａに固定される。
【０１０１】
また、両カバー８０，９０が被せられたモータ７７の上方には、上述のドレンパン７５，７６の端部同士を接続する前後ドレンパン接続部材７９が配置される。この前後ドレンパン接続部材７９には、背面側のドレンパン７５から正面側のドレンパン７６へと水を流すためのドレン通路７９ａ（図１５参照）が形成されている。
【０１０２】
（３）特徴
（３−１）
第３実施形態に係る空気調和装置の室内ユニット７０では、モータ本体７７ａの外周面の外側に配置される第１カバー８０および第２カバー９０が、モータ本体７７ａの外周面の少なくとも７０％以上を覆っているため、仮にモータ７７が内部で発火した場合にも、その火がモータ７７の周囲に延焼することが抑制される。
【０１０３】
また、モータ７７の回転軸７７ｂが延びる方向視におけるモータ本体７７ａの外縁の回転軸７７ｂの中心からの距離の最大値よりも、両カバー８０，９０からモータ本体７７ａの外周面までの距離の平均値が小さくなっている。すなわち、カバー８０，９０からモータ本体７７ａの外周面までの空間の容積が、非常に小さくなっている。このため、仮にモータ７７が発火した場合にも、モータ７７の周囲への延焼が抑えられる。
【０１０４】
さらに、もしも室内で火災が起こってしまった場合、その火災の原因が室内ユニット７０のモータ７７にあったのか、それとも室内ユニット７０の外部に発火原因があったのか、原因究明し易くなる。
【０１０５】
（３−２）
第３実施形態に係る空気調和装置の室内ユニット７０では、モータ７７を覆うカバーが、第１カバー８０および第２カバー９０に分割されている。そして、第１カバー８０と第２カバー９０とは、図１６に示すように、モータ本体７７ａを覆った状態において、部分的に重なる。
【０１０６】
ここでは、分割構造のカバーを採用しているため、室内ユニット７０の組み立て作業において、モータ本体７７ａを覆う工程に必要な時間が短くなる。また、モータ本体７７ａを覆った状態において第１カバー８０と第２カバー９０とが部分的に重なるため、仮にモータ７７が発火した場合にも、その火がカバーの外側に出る恐れが殆どない。
【０１０７】
（４）変形例
上記の第３実施形態では、モータ７７の回転軸７７ｂの方向に前後からモータ７７に被せる第１カバー８０および第２カバー９０を採用しているが、図１７に示すようにカバーの分割の仕方を変えてもよい。
【０１０８】
図１７に示す第３カバー１８０および第４カバー１９０は、モータ７７のモータ本体７７ａに対して、径方向の両側から被せるものである。第３カバー１８０は、半円状の平面部１８１，１８９の間に、半周面部１８３が形成されており、モータ本体７７ａの上半分を覆う。第４カバー１９０は、半円状の平面部１９１，１９９の間に、半周面部１９３が形成されており、モータ本体７７ａの下半分を覆う。モータ本体７７ａの外周面は、第３カバー１８０の半周面部１８３および第４カバー１９０の半周面部１９３によって覆われる。第３カバー１８０の半周面部１８３および第４カバー１９０の半周面部１９３は、図１８に示す設置状態において、それぞれの端部が互いに重なる。モータ本体７７ａの回転軸７７ｂの突出する側の端部７７ｆは、第３カバー１８０の平面部１８１および第４カバー１９０の平面部１９１によって覆われる。モータ本体７７ａの反対側の端部７７ｇは、第３カバー１８０の平面部１８９および第４カバー１９０の平面部１９９によって覆われる。
【０１０９】
このような図１７および図１８に示す第３カバー１８０および第４カバー１９０を採用した場合にも、上述の第３実施形態と同様の作用効果を得ることができ、仮にモータ７７が発火した場合にも、モータ７７の周囲への延焼が抑えられる。
【０１１０】
また、上記の第３実施形態では、第１カバー８０および第２カバー９０に分割されたカバーを採用しているが、３以上の部材に分割されたカバーを採用してもよい。
【符号の説明】
【０１１１】
１０    空気調和装置の室内ユニット
１２    ケーシング
１２ａ    天板（モータ支持部）
１４    遠心ファン
１７    モータ
１７ａ    モータ本体
１７ａｅ    モータの回転軸が延びる方向視におけるモータ本体の外縁
１７ｂ    モータの回転軸
１７ｃ    モータの脚部
１７ｄ    コネクタ部（第１部分）
１７ｄ１    コネクタ部の一端
１７ｄ２    コネクタ部の他端
１７ｅ    モータの電線
１７ｆ１    モータ本体の段差面（モータ本体の回転軸の延びる方向の端部）
１７ｆ２    モータ本体の段差面（モータ本体の回転軸の延びる方向の端部）
３０    カバー
３３ａ    カバーの切り欠き
４０    空気調和装置の室内ユニット
４２    ケーシング
４２ａ    モータ取付板（モータ支持部）
４４    多翼ファン
４７    モータ
４７ａ    モータ本体
４７ｂ    モータの回転軸
４７ｃ    モータの脚部
４７ｆ    環状面（モータ本体の回転軸の延びる方向の端部）
６０    カバー
６３ａ    カバーの切り欠き
７０    空気調和装置の室内ユニット
７２    ケーシング
７４    クロスフローファン
７７    モータ
７７ａ    モータ本体
７７ｂ    モータの回転軸
７７ｆ    モータ本体の回転軸の突出する側の端部
７７ｇ    モータ本体の回転軸の突出する側の反対側の端部
８０    カバー
９０    カバー
１３０    カバー
１３３ａ    カバーの切り欠き
１７０    モータ
１８０    カバー
１９０    カバー
２３０    カバー
２３３ａ    カバーの切り欠き
Ｇ１，Ｇ２，Ｇ３，・・・    カバーからモータ本体の外周面までの距離
Ｏ    回転軸の中心
【先行技術文献】
【特許文献】
【０１１２】
【特許文献１】特開平１１−４４４３３号公報
【図１】
2019015456.tif 000003
【図２】
2019015456.tif 000004
【図３】
2019015456.tif 000005
【図４Ａ】
2019015456.tif 000006
【図４Ｂ】
2019015456.tif 000007
【図５】
2019015456.tif 000008
【図６】
2019015456.tif 000009
【図７】
2019015456.tif 000010
【図８】
2019015456.tif 000011
【図９】
2019015456.tif 000012
【図１０】
2019015456.tif 000013
【図１１】
2019015456.tif 000014
【図１２】
2019015456.tif 000015
【図１３】
2019015456.tif 000016
【図１４】
2019015456.tif 000017
【図１５】
2019015456.tif 000018
【図１６】
2019015456.tif 000019
【図１７】
2019015456.tif 000020
【図１８】
2019015456.tif 000021